(57)【特許請求の範囲】
【請求項１】
基部と、
基部から延設する２つ一対の振動腕部と、
前記振動腕部の間であって前記基部から延設する内側腕部と、
前記振動腕部と向かい合うそれぞれの前記内側腕部の側面に前記内側腕部から所定の間隔をあけて設けられる電極膜切断用腕部と、を備えており、
前記電極膜切断用腕部の自由端部は、前記内側腕部と平行となっており、
前記電極膜切断用腕部の固定端部は、直角に曲がって前記内側腕部と繋がっている
ことを特徴とする音叉型屈曲水晶振動素子。
【請求項２】
前記一対の振動腕部のそれぞれに、延設方向に沿って溝部が設けられていることを特徴とする請求項１に記載の音叉型屈曲水晶振動素子。
【発明の詳細な説明】
【技術分野】
【０００１】
本発明は、電子機器に用いられる音叉型屈曲水晶振動素子に関する。
【背景技術】
【０００２】
従来、コンピュータ，携帯電話又は小型情報機器等の電子機器には、電子部品の一つとして圧電振動子又は圧電発振器が搭載されている。この圧電振動子又は圧電発振器は、基準信号源やクロック信号源として用いられる。又、圧電振動子や圧電発振器は、その内部に水晶からなる圧電振動素子が搭載されている。
以下、圧電材料に水晶を用いた圧電振動素子について説明する。
図３に示すように、圧電振動素子の一つである音叉型屈曲水晶振動素子４００は、水晶振動片４１０と、その水晶振動片４１０の表面に設けられた励振用電極と接続用電極と周波数調整用金属膜と導配線パターンとにより概略構成される。
【０００３】
水晶振動片４１０は、音叉形状となっており、基部４１１と基部４１１から延設する２つ一対の振動腕部４１２と、により概略構成される。この振動腕部４１２には、対向する平面同士に同極となる励振用電極４２１が設けられている。
また、基部４１１は、平面視略四角形の平板となっている。振動腕部４１２は、第一の振動腕部４１２ａ及び第二の振動腕部４１２ｂとから成る。第一の振動腕部４１２ａ及び第二の振動腕部４１２ｂは、基部４１１の一辺から同一方向に延設されており、第一の振動腕部４１２ａ及び第二の振動腕部４１２ｂの長さ方向にはそれぞれ溝部ＧＬが設けられている。溝部ＧＬは、第一の振動腕部４１２ａ及び第二の振動腕部４１２ｂの両主面に、基部４１１との境界部分から振動腕部４１２の先端に向って、振動腕部４１２の長さ方向と平行に所定の長さで２本設けられている。このような水晶振動片４１０は、基部４１１と振動腕部４１２とが一体となって音叉形状を成しており、フォトリソグラフィ技術と化学エッチング技術、成膜技術により製造される。
【０００４】
第一の振動腕部４１２ａに設けられる電極は、励振用電極４２１と周波数調整用金属膜４２３とから成る。励振用電極４２１は、第一の振動腕部４１２ａの溝部ＧＬ内表面を含む一方の主面と、第一の振動腕部４１２ａの溝部ＧＬ内表面を含む他方の主面に設けられている。また、励振用電極４２１は、第二の振動腕部４１２ｂに対向する第一の振動腕部４１２ａの内側側面と、この側面に対向する第一の振動腕部４１２ａの外側側面とに異極となるように設けられている。周波数調整用金属膜４２３は、第一の振動腕部４１２ａの先端部の両主面に設けられている。
【０００５】
第二の振動腕部４１２ｂに設けられる電極は、励振用電極４２１と周波数調整用金属膜４２３とから成る。この励振用電極４２１は、第二の振動腕部４１２ｂの溝部ＧＬ内表面を含む一方の主面と、第二の振動腕部４１２ｂの溝部ＧＬ内表面を含む他方の主面に設けられている。また、励振用電極４２１は、第一の振動腕部４１２ａに対向する第二の振動腕部４１２ｂの内側側面と、この側面に対向する第二の振動腕部４１２ｂの外側側面とに異極となるように設けられている。周波数調整用金属膜４２３は、第二の振動腕部４１２ａの先端部の両主面に設けられている。
【０００６】
基部４１１は、２つ一対の接続用電極４２２が設けられる。一方の接続用電極４２２は、基部４１１の振動腕部４１２が形成されている辺とは反対側にあたる辺の一方の角端部及び基部４１１の一方の主面から他方の主面にわたって設けられている。また、他方の接続用電極４２２は、基部４１１の振動腕部４１２が形成されている辺とは反対側にあたる辺の他方の角端部及び基部４１１の一方の主面から他方の主面にわたって設けられている。
また、基部４１１及び振動腕部４１２には、所定の電極間を電気的に接続させるための導配線パターン４２４が設けられている。
【０００７】
一方の接続用電極４２２は、基部４１１の一方の主面に設けられた導配線パターン４２４により、第一の振動腕部４１２ａの一方の主面に設けられた励振用電極４２１と電気的に接続し、かつ、第二の振動腕部４１２ｂの外側側面に設けられた励振用電極４２１と電気的に接続している。また、第二の振動腕部４１２ｂの外側側面に設けられた励振用電極４２１は、第二の振動腕部４１２ｂの内側側面に設けられた励振用電極４２１と電気的に接続している。更に、第一の振動腕部４１２の一方の主面に設けられた励振用電極４２１は、第一の振動腕部４１２の内側側面に設けられた導配線パターン４２４により、第一の振動腕部４１２ａの他方の主面に設けられた励振用電極４２１と電気的に接続されている。
【０００８】
他方の接続用電極４２２は、基部４１１の他方の主面に設けられた導配線パターンにより、第二の振動腕部４１２ｂの他方の主面に設けられた励振用電極４２１と電気的に接続し、かつ、第一の振動腕部４１２ａの外側側面に設けられた励振用電極４２１と電気的に接続している。また、第一の振動腕部４１２ａの外側側面に設けられた励振用電極４２１は、第一の振動腕部４１２ａの内側側面に設けられた励振用電極４２１と電気的に接続している。更に、第二の振動腕部４１２ａの他方の主面に設けられた励振用電極４２１は、第二の振動腕部４１２ｂの内側側面に設けられた導配線パターン４２４により、第一の振動腕部４１２ａの一方の主面に設けられた励振用電極４２１ａと電気的に接続されている。
【０００９】
これら励振用電極４２１、接続用電極４２２、周波数調整用金属膜４２３ａ及び導配線パターン４２４ａは、スパッタ技術、蒸着技術、フォトリソグラフィ技術により形成され、Ｃｒ層の上にＡｕ層が設けられた積層構造となっている。
【００１０】
この水晶振動片４１０を振動させる場合、接続用電極４２２に交番電圧を印加する。印加後のある電気的状態を瞬間的にとらえると、第一の振動腕部４１２ａの両主面に設けられた励振用電極４２１はプラス電位となり、両側面に設けられた励振用電極４２１はマイナス電位となり、プラスからマイナスに電界が生じる。このときの第二の振動腕部４１２ｂの両主面の励振用電極４２１はマイナス電位となり、両側面に設けられた励振用電極４２１はプラス電位という第一の振動腕部４１２の励振用電極４２１に生じた極性とは反対の極性となり、プラスからマイナスに電界が生じる。この交番電圧により生じた電界によって、第一の振動腕部４１２ａ及び第二の振動腕部４１２ｂに伸縮現象が生じ、振動腕部４１２に設定した共振周波数の屈曲振動モードとなる。尚、この共振周波数は、水晶振動片４１０に設けられた周波数調整用金属膜４２３を構成する金属の量を増減させて調整することができる（例えば、特許文献１又は２参照）。
【００１１】
また、このような音叉型屈曲水晶振動素子４００は、音叉型に水晶振動片４１０を形成した後に電極の形成が行われる。
例えば、水晶ウェハ（図示せず）の表裏に例えば、Ｃｒ、Ｃｒ＋Ａｕなどの耐食膜（図示せず）をスパッタリングにて成膜する。
【００１２】
次に耐食膜上に感光性レジスト（ポジ型）を両面に形成し、乾燥後表裏の両面に音叉形状の耐食膜が残るように露光、現像、乾燥（以下パターン化）と音叉形状以外の耐食膜のエッチングを行う。
【００１３】
次に前記表裏の耐食膜上に電極の形状を決定するために感光性レジスト（ポジ型）をパターン化する。ここで、この感光性レジストの一部は、振動腕部と基部との接続部分を覆うように設けられている。
【００１４】
次に露出する水晶部分をエッチングする。このとき、溝部の形状と水晶振動片４１０の形状とが同時に形成される。なお、振動腕部４１２と基部４１１との接続部分を覆う感光性レジストは、エッチングされることなく残る。そのため、この感光性レジストを残した状態で、基部４１１と振動腕部４１２とが形成される。したがって、この感光性レジストは、２つの振動腕部４１２を跨いだ状態で残されている。
【００１５】
次に裏面に露出した耐食膜をエッチングし水晶表面を得る。次に全面に電極膜を蒸着技術により形成する。このとき、振動腕部４１２と基部４１１との接続部分を覆う感光性レジストにより、振動腕部４１２が接続している側の基部４１１の側面に電極膜が形成されずに、振動腕部４１２の側面のみに電極膜が形成される。
次に表裏に形成した感光性レジストとその上に形成された電極膜を剥離する。これは感光性レジストを溶解する液に浸すことで容易に除去できる。しかし、その下部に有する耐食膜は残る。次に前記の残りである耐食膜をエッチングする。
このようにして、水晶振動片４１０に電極が形成される（例えば、特許文献１参照）。
【００１６】
なお、音叉型屈曲水晶振動素子の他の構造として、この音叉型屈曲水晶振動素子に用いられる圧電片が、平面視略四角形の平板である基部と、この基部の一辺から同一方向に延出した振動腕部と、さらにこの基部から延出しつつ２つの振動腕部の間に設けられる支持腕部とにより構成される構造が提案されている（例えば、特許文献３参照）。
このような音叉型屈曲振動素子の場合、支持腕部に２つ一対の接続用電極が設けられる。これにより、支持腕部には、
２つ一対の接続用電極と励振用電極とを接続するために、引回しのための導配線パターンが設けられる。
【先行技術文献】
【特許文献】
【００１７】
【特許文献１】特開２００７−３２９８７９号公報
【特許文献２】特開２００４−２４８２３７号公報
【特許文献３】特開２００６−３４５５１９号公報
【発明の概要】
【発明が解決しようとする課題】
【００１８】
しかしながら、このような音叉型屈曲水晶振動素子４００は、電極を形成する際、蒸着技術を用いると、溝部などの狭い空間に金属材料が入り込みにくいため電極膜が形成されない場合がある。
これを解決するために、蒸着技術に代えてスパッタ技術を用いて電極を形成する場合、振動腕部４１２と基部４１１との接続部分を覆う感光性レジストがマスクの役割を果たすことができず、振動腕部４１２の側面と基部４１１の側面とに電極膜が形成されてしまい、励振用電極４２１が振動腕部４１２ａと振動腕部４１２ｂとが向かい合う側面部の電極間においてショートした状態で形成されてしまうことがあった。
また、振動腕部の間に支持腕部が設けられた構造の音叉型屈曲振動素子では、支持腕部に２つ一対の接続用電極が設けられるため、導電性接着剤や金属バンプ等の接合材で音叉型屈曲振動素子の気密封止に用いるパッケージへの搭載が、２つ一対の接続用電極のみとなる。
したがって、支持腕部に設けられる２つ一対の接続用電極の表面積が、基部に設けた場合の表面積と比較して小さくなり、搭載に用いる導電性接着剤や金属バンプ等の接合材の量が少なくなる。これにより、一対の接続用電極が設けられた支持腕部を有する音叉型屈曲振動素子は、パッケージと蓋とで気密封止された後において落下衝撃に耐えられず、接合材がパッケージから剥離するという恐れがあった。
【００１９】
そこで、本発明では、前記した問題を解決し、振動腕部の側面に設けられる励振用電極がショートするのを防ぐ音叉型屈曲水晶振動素子を提供することを課題とする。
【課題を解決するための手段】
【００２０】
前記課題を解決するため、本発明は、音叉型屈曲水晶振動素子であって、基部と、基部から延設する２つ一対の振動腕部と、前記振動腕部の間であって前記基部から延設する内側腕部と、前記振動腕部と向かい合うそれぞれの前記内側腕部の側面に前記内側腕部から所定の間隔をあけて設けられる電極膜切断用腕部と、を備えており、前記電極膜切断用腕部の自由端部は、前記内側腕部と平行となっており、前記電極膜切断用腕部の固定端部は、直角に曲がって前記内側腕部と繋がっていることを特徴とする。
【００２１】
また、本発明は、前記一対の振動腕部のそれぞれに、延設方向に沿って溝部が設けられていても良い。
【発明の効果】
【００２２】
また、このような本発明の音叉型屈曲水晶振動素子によれば、電極膜切断用腕部が内側腕部から所定の間隔をあけてその内側腕部に設けられているので、スパッタ技術を用いて電極膜を設けても、電極膜切断用腕部により電極膜が切断されて振動腕部の側面に設けられる励振用電極がショートするのを防ぐことができる。これにより、振動腕部の側面に設けられる励振用電極の形成するのが容易となる。
【００２３】
また、本発明の音叉型屈曲水晶振動素子が、前記一対の振動腕部のそれぞれに、延設方向に沿って溝部を設けたので、それぞれの振動腕部に生じる電界効率を向上させることができる。
【図面の簡単な説明】
【００２４】
【図１】本発明の実施形態に係る音叉型屈曲水晶振動素子の一例を示す斜視図である。
【図２】本発明の実施形態に係る音叉型屈曲水晶振動素子の一例を示す平面図である。
【図３】従来の音叉型屈曲水晶振動素子の一例を示す斜視図である。
【発明を実施するための形態】
【００２５】
本発明を実施するための最良の形態（以下、「実施形態」という。）について、適宜図面を参照しながら詳細に説明する。なお、各構成要素について、状態をわかりやすくするために、誇張して図示している。なお、音叉型屈曲水晶振動素子の２つの振動腕部が並ぶ方向、つまり基部の幅方向をＸ軸、振動腕部の長さ方向をＹ´軸、振動腕部の厚み方向をＺ軸とする。
【００２６】
図１及び図２に示すように、本発明の実施形態に係る音叉型屈曲水晶振動素子１００は、水晶振動片１１０と、その水晶振動片１１０に設けられた励振用電極１２１と接続用電極１２２ａ，１２２ｂと、周波数調整用金属膜１２３と、導配線パターン１２４とから主に構成されている。
【００２７】
水晶振動片１１０は、音叉形状となっており、基部１１１と基部１１１から延設する２つ一対の振動腕部１１２と２本の振動腕部１１２の間であって基部１１１から延設する内側腕部１１３とにより概略構成される。この振動腕部１１２には、対向する平面同士に同極となる励振用電極１２１が設けられている。
また、基部１１１は、平面視略四角形の平板となっている。振動腕部１１２は、第一の振動腕部１１２ａ及び第二の振動腕部１１２ｂとから成る。第一の振動腕部１１２ａ及び第二の振動腕部１１２ｂは、基部１１１の一辺から同一方向に延設されており、第一の振動腕部１１２ａ及び第二の振動腕部１１２ｂの長さ方向にそれぞれ溝部ＧＬが設けられている。溝部ＧＬは、第一の振動腕部１１２ａ及び第二の振動腕部１１２ｂの両主面に、基部１１１との境界部分から振動腕部１１２の先端に向って、振動腕部１１２の長さ方向と平行に所定の長さで例えば２本設けられている。このような水晶振動片１１０は、基部１１１と振動腕部１１２と内側腕部１１３とが一体となって音叉形状を成しており、フォトリソグラフィ技術と化学エッチング技術、成膜技術により製造される。
【００２８】
第一の振動腕部１１２ａに設けられる電極は、励振用電極１２１と周波数調整用金属膜１２３とから成る。第一の振動腕部１１２ａに設けられる励振用電極１２１は、第一の振動腕部１１２ａの溝部ＧＬ内表面を含む一方の主面と、第一の振動腕部１１２ａの溝部ＧＬ内表面を含む他方の主面に設けられている。また、第一の振動腕部１１２ａに設けられる励振用電極１２１は、第二の振動腕部１１２ｂに対向する第一の振動腕部１１２ａの内側側面と、この側面に対向する第一の振動腕部１１２ａの外側側面とに設けられ、第一の振動腕部１１２ａの両主面に設けられる励振用電極１２１と異極となるように設けられている。第一の振動腕部１１２ａに設けられる周波数調整用金属膜１２３は、第一の振動腕部１１２ａの先端部の両主面に設けられている。なお、周波数調整用金属膜１２３は、すくなくとも一方の主面に設ける構成としても良い。
【００２９】
第二の振動腕部１１２ｂに設けられる電極は、励振用電極１２１と周波数調整用金属膜１２３とから成る。第二の振動腕部１１２ｂに設けられる励振用電極１２１は、第二の振動腕部１１２ｂの溝部ＧＬ内表面を含む一方の主面と、第二の振動腕部１１２ｂの溝部ＧＬ内表面を含む他方の主面に設けられている。また、第二の振動腕部１１２ｂに設けられる励振用電極１２１は、第一の振動腕部１１２ａに対向する第二の振動腕部１１２ｂの内側側面と、この側面に対向する第二の振動腕部１１２ｂの外側側面とに設けられ、第二の振動腕部１１２ｂの両主面に設けられる励振用電極１２１と異極となるように設けられている。第二の振動腕部１１２ｂに設けられる周波数調整用金属膜１２３は、第二の振動腕部１１２ａの先端部の両主面に設けられている。なお、周波数調整用金属膜１２３は、すくなくとも一方の主面に設ける構成としても良い。
【００３０】
基部１１１には、接続用電極１２２ａ及び１２２ｂが設けられる。接続用電極１２２ａは、基部１１１の振動腕部１１２が形成されている辺とは反対側にあたる辺の一方の角端部及び基部１１１の一方の主面から他方の主面にわたって設けられている。また、接続用電極１２２ｂは、基部１１１の振動腕部１１２が形成されている辺とは反対側にあたる辺の他方の角端部及び基部１１１の一方の主面から他方の主面にわたって設けられている。
また、基部１１１及び振動腕部１１２には、所定の電極間を電気的に接続させるための導配線パターン１２４が設けられている。
【００３１】
接続用電極１２２ａは、基部１１１の一方の主面に設けられた導配線パターン１２４により、第一の振動腕部１１２ａの一方の主面に設けられた励振用電極１２１と電気的に接続し、かつ、第二の振動腕部１１２ｂの外側側面に設けられた励振用電極１２１と電気的に接続している。また、第二の振動腕部１１２ｂの外側側面に設けられた励振用電極１２１は、第二の振動腕部１１２ｂの内側側面に設けられた励振用電極１２１と電気的に接続している。更に、第一の振動腕部１１２ａの一方の主面に設けられた励振用電極１２１は、基部１１１の側面に設けられた導配線パターンにより、第一の振動腕部１１２ａの他方の主面に設けられた励振用電極１２１と電気的に接続されている。
【００３２】
接続用電極１２２ｂは、基部１１１の他方の主面に設けられた導配線パターンにより、第二の振動腕部１１２ｂの他方の主面に設けられた励振用電極と電気的に接続し、かつ、第一の振動腕部１１２ａの外側側面に設けられた励振用電極と電気的に接続している。また、第一の振動腕部１１２ａの外側側面に設けられた励振用電極は、第一の振動腕部１１２ａの内側側面に設けられた励振用電極１２１と電気的に接続している。更に、第二の振動腕部１１２ａの他方の主面に設けられた励振用電極１２１は、基部１１１の内側側面に設けられた導配線パターンにより、第二の振動腕部１１２ｂの一方の主面に設けられた励振用電極１２１と電気的に接続されている。
【００３３】
これら励振用電極１２１、接続用電極１２２ａ，１２２ｂ及び導配線パターン１２４は、フォトリソグラフィ技術により形成され、Ｔｉ層の上にＰｄ又はＡｕ層が設けられた積層構造となっている。
【００３４】
この音叉型の水晶振動片１１０を振動させる場合、接続用電極１２２ａ及び１２２ｂに交番電圧を印加する。印加後のある電気的状態を瞬間的にとらえると、第一の振動腕部１１２ａの両主面に設けられた励振用電極１２１はプラス電位となり、両側面に設けられた励振用電極１２１はマイナス電位となり、プラスからマイナスに電界が生じる。このときの第二の振動腕部１１２ｂの両主面の励振用電極１２１はマイナス電位となり、両側面に設けられた励振用電極１２１はプラス電位という第一の振動腕部１１２ａの励振用電極１２１に生じた極性とは反対の極性となってプラスからマイナスに電界が生じる。この交番電圧により生じた電界によって、第一の振動腕部１１２ａ及び第二の振動腕部１１２ｂに伸縮現象が生じ、振動腕部１１２に設定した共振周波数の屈曲振動モードとなる。尚、この共振周波数は、音叉型の水晶振動片１１０に設けられた周波数調整用金属膜１２３を構成する金属の量を増減させて調整することができる。
【００３５】
内側腕部１１３は、２つ一対の振動腕部１１２の中間であって、振動腕部１１２に沿って基部１１１から延設されている。
また、内側腕部１１３は、振動腕部１１２よりも短く設けられており、自由端側の幅を振動腕部１１２よりも大きく設けられる。
内側腕部１１３の基部１１１側の両側面のそれぞれに、電極膜切断用腕部１１３ａ，１１３ｂが設けられており、振動腕部１１２と向かい合うそれぞれの内側腕部１１３の側面に内側腕部１１３から所定の間隔をあけて設けられる。
言い換えれば、電極膜切断用腕部１１３ａ，１１３ｂの自由端部は、内側腕部１１３と平行となっており、電極膜切断用腕部１１３ａ，１１３ｂの固定端部が直角に曲がって内側腕部１１３と繋がっている。
【００３６】
内側腕部１１３に設けられた電極膜切断用腕部１１３ａ，１１３ｂは、第一の振動腕部１１２ａと第二の振動腕部１１２ｂとからなる振動腕部１１２の側面に励振用電極をスパッタ技術及びフォトリソグラフィ技術にて形成する際に、第一の振動腕部１１２ａの側面の励振用電極１２１と第二の振動腕部１１２ｂの側面の励振用電極１２１とのショートした状態を切断する役割を果たす。
【００３７】
また、電極膜切断用腕部１１３ａ，１１３ｂは、所定の長さを有しており、内側腕部１１３との間隔がウェットエッチングで厚み方向に貫通できる程度となっている。
【００３８】
このとき、電極膜切断用腕部１１３ａ，１１３ｂの振動腕部１１２側を向く側面には電極膜が設けられている。また、内側腕部１１３の電極膜切断用腕部１１３ａ，１１３ｂと対向する側面を除き、振動腕部１１２側を向く側面に電極膜が設けられている。
これら電極膜切断用腕部１１３ａ，１１３ｂの側面に設けられた電極膜と、内側腕部の側面に設けられた電極膜とは切断されており、第一の振動腕部１１２ａの側面の励振用電極１２１と第二の振動腕部１１２ｂの側面の励振用電極１２１とがショートしていない状態となっている。
【００３９】
この電極膜切断用腕部１１３ａ，１１３ｂは、以下のように用いられる。この電極膜切断用腕部１１３ａ，１１３ｂの役割を説明するために、本発明の実施形態に係る音叉型屈曲水晶振動素子１００の製造方法を説明する。
【００４０】
例えば、本発明の実施形態に係る音叉型屈曲水晶振動素子１００は、本発明の実施形態に係る音叉型屈曲水晶振動素子１００に用いられる水晶振動片１１０を形成した後に電極の形成が行われる。なお、水晶振動片１１０の形成の前に電極の形状を形成するためのパターンを予め設ける。
例えば、水晶ウェハ（図示せず）の表裏に例えば、Ｃｒ、Ｃｒ＋Ａｕなどの耐食膜（図示せず）をスパッタリングにて成膜する。
【００４１】
次に耐食膜上に感光性レジスト（ポジ型）を両面に形成し、乾燥後表裏の両面に水晶振動片１１０となる形状の耐食膜が残るように露光、現像、乾燥（以下パターン化）と水晶振動片１１０となる形状以外の耐食膜のエッチングを行う。
【００４２】
次に前記表裏の耐食膜上に電極の形状を決定するために感光性レジスト（ポジ型）をパターン化する。ここで、この感光性レジストの一部は、電極膜切断用腕部１１３ａ，１１３ｂと内側腕部１１３と振動腕部１１２の一部と基部１１１の一部とを連続させて覆うように設けられている。なお、電極が設けられる部分には、感光性レジストを設けていない。
【００４３】
次に露出する水晶部分をエッチングする。このとき、溝部ＧＬの形状と水晶振動片１１０の形状とが同時に形成される。なお、電極膜切断用腕部１１３ａ，１１３ｂと内側腕部１１３と振動腕部１１２と基部１１１とを覆う感光性レジストは、エッチングされることなく残る。そのため、この感光性レジストを残した状態で、電極膜切断用腕部１１３ａ，１１３ｂと内側腕部１１３と振動腕部１１２と基部１１１とが形成される。
【００４４】
次に表裏面に露出した耐食膜をエッチングし水晶表面を得る。次に全面に電極膜をスパッタ技術により形成する。このとき、電極膜切断用腕部１１３ａ，１１３ｂと内側腕部１１３を覆う感光性レジストにより、電極膜切断用腕部１１３ａ，１１３ｂと内側腕部１１３の側面に電極膜が形成される。なお、このとき、電極膜切断用腕部１１３ａ，１１３ｂと内側腕部１１３とが対向するそれぞれの側面には電極膜が形成されず、また、電極膜切断用腕部１１３ａ，１１３ｂの側面に形成される電極膜と内側腕部１１３の側面に形成される電極膜とが繋がらない状態となっている。
次に表裏に形成した感光性レジストとその上に形成された電極膜を剥離する。これは感光性レジストを溶解する液に浸すことで容易に除去できる。しかし、その下部に有する耐食膜は残る。電極膜切断用腕部１１３ａ，１１３ｂと内側腕部１１３と振動腕部１１２と基部１１１とを覆う感光性レジストも除去されるため、第一の振動腕部１１２ａの側面の電極と第二の振動腕部１１２ｂの側面の電極とが切断した状態となる。次に前記の残りである耐食膜をエッチングする。
このようにして、水晶振動片１１０に電極が形成されるので、スパッタ技術を用いても、第一の振動腕部１１２ａの側面の電極と第二の振動腕部１１２ｂの側面の電極とがショートした状態から切断した状態にすることができる。
【００４５】
なお、本発明の実施形態について説明したが、本発明は、適宜、変更可能である。
例えば、周波数調整用金属膜には、別途、Ａｇ（銀）、Ａｕ（金）等の金属材料を用いて、厚みを厚くしても良い。
また、本発明の音叉型屈曲水晶振動素子は、所定のパッケージに封入して圧電振動子に用いることができ、また、この状態で発振回路を備えた集積回路素子と接続する構成にして圧電発振器に用いても良い。
【符号の説明】
【００４６】
１００  音叉型屈曲水晶振動素子
１１０ａ  水晶振動片
１１１  基部
１１２  振動腕部
１１２ａ  第一の振動腕部
１１２ｂ  第二の振動腕部
１２１  励振用電極
１２２ａ，１２２ｂ  接続用電極
１２３  周波数調整用金属膜
１２４  導配線パターン
１１３  内側腕部
１１３ａ、１１３ｂ  電極膜切断用腕部
ＧＬ    溝部
【図１】
0005465041.tif 000002
【図２】
0005465041.tif 000003
【図３】
0005465041.tif 000004